(57)【要約】【課題】  各操作部の形状を確認することなしに、視力の不自由な人でも、容易に筆記色を選択できるとともに、健常者にとっても、薄暗い場所などにおける識別の錯誤を防止できるようにしたボールペンを提供する。【解決手段】  軸筒２内に収容された複数のボールペン芯体３の後端に、操作部材４をそれぞれ取り付け、これら各操作部材４の操作部５を、軸筒２の周壁６に各ボールペン芯体３毎に設けたスライド孔７から外部にそれぞれ露出させ、前記操作部５を操作することによって、ボールペン芯体３の前端におけるチップ部８を、軸筒２の前端に取り付けた口先部９の前端開口１０から出没させるようにしたボールペン１において、前記各操作部５の位置を、互いに軸線方向に異ならせる。【選択図】    図１
2008143090.tif 000002
【特許請求の範囲】
【請求項１】
軸筒内に収容された複数のボールペン芯体の後端に、操作部材をそれぞれ取り付け、これら各操作部材の操作部を、軸筒の周壁に各ボールペン芯体毎に設けたスライド孔から外部にそれぞれ露出させ、前記操作部を操作することによって、ボールペン芯体の前端におけるチップ部を、軸筒の前端に取り付けた口先部の前端開口から出没させるようにしたボールペンにおいて、
前記各操作部の位置を、互いに軸線方向に異ならせたことを特徴とするボールペン。
【請求項２】
各操作部材のスライド孔の位置を、互いに軸線方向に異ならせたことを特徴とする請求項１記載のボールペン。
【請求項３】
軸筒に対する各操作部材の軸線方向の取付位置を、互いに異ならせるとともに、各操作部材における操作部を、操作部材の後端に取り付けたことを特徴とする請求項１または２記載のボールペン。
【請求項４】
各操作部を、互いに異なる形状、寸法、または触感のものとしたことを特徴とする請求項１〜３のいずれかに記載のボールペン。
【発明の詳細な説明】
【技術分野】
【０００１】
本発明は、異なる筆記色からなる複数のボールペン芯体を有するボールペンに関する。
【背景技術】
【０００２】
軸筒内に、異なる筆記色、たとえば黒と赤の２色のボールペン芯体、さらにこれに、青その他、適宜の色のボールペン芯体を収容した多色式のボールペンが広く用いられている。
このようなボールペンは、複数の異なる筆記色の中から、任意の筆記色を選択する場合に、各筆記色に係るボールペン芯体の互いに異なる操作部によって選択された、ボールペン芯体における前端のチップ部を、軸筒の前端に取り付けた口先部の前端開口から出没させるようになっている。
【０００３】
しかし、各操作部は、いずれの筆記色のボールペン芯体についても、同一形状となっているため、視力の不自由な人にとっては、識別が容易でなく、また健常者にとっても、薄暗い場所などにおいては、錯誤し易い。
【０００４】
これを防止するため、本出願人は、先に、各ボールペン芯体に設けた操作部の触感を、互いに異なるものとした発明を提供した（特許文献１）。
さらに、本出願人は、操作部のスライド操作時における弾き音を、各操作部毎に異ならせた発明を提供した（特許文献２参照）。
【０００５】
しかし、特許文献１、２に記載のものは、各操作部が、いずれも軸筒の軸線方向における同一位置にあり、しかも、触感や音感に頼らざるを得ないため、視力の不自由な人には、識別が必ずしも容易であるとは言えない場合があり、また健常者にとっても、薄暗い場所などにおいては、同様の問題があった。
【特許文献１】特開２００３−３３５０９３号公報
【特許文献２】特開２００６−６２１００号公報
【発明の開示】
【発明が解決しようとする課題】
【０００６】
本発明は、前記した現状に鑑み、各操作部の形状や弾き音を確認することなしに、視力の不自由な人でも、容易に筆記色を選択できるとともに、健常者にとっても、薄暗い場所などにおける識別の錯誤を防止できるようにしたボールペンを提供することを目的とする。
【課題を解決するための手段】
【０００７】
本発明によると、上記課題は、次のようにして解決される。
（１）  軸筒内に収容された複数のボールペン芯体の後端に、操作部材をそれぞれ取り付け、これら各操作部材の操作部を、軸筒の周壁に各ボールペン芯体毎に設けたスライド孔から外部にそれぞれ露出させ、前記操作部を操作することによって、ボールペン芯体の前端におけるチップ部を、軸筒の前端に取り付けた口先部の前端開口から出没させるようにしたボールペンにおいて、前記各操作部の位置を、互いに軸線方向に異ならせる。
【０００８】
（２）  上記（１）項において、各操作部材のスライド孔の位置を、互いに軸線方向に異ならせる。
【０００９】
（３）  上記（１）項または（２）項において、軸筒に対する各操作部材の軸線方向の取付位置を、互いに異ならせるとともに、各操作部材における操作部を、操作部材の後端に取り付ける。
【００１０】
（４）  上記（１）〜（３）項のいずれかにおいて、各操作部を、互いに異なる形状、寸法、または触感のものとする。
【発明の効果】
【００１１】
本発明によると、次のような効果が奏せられる。
請求項１記載の発明によれば、各操作部を、互いに軸線方向に異ならせてあり、この異なった位置の確認は、操作部の形状や弾き音を確認することよりも、格段に容易であるため、各筆記色の操作部が、どのような順序で軸線方向に設けられているかを、予め記憶しておくだけで、視力の不自由な人でも、所望とする筆記色を容易に選択して、使用に供することができるとともに、健常者にとっても、薄暗い場所などにおける識別の錯誤を防止することができる。
【００１２】
請求項２記載の発明によれば、各操作部材のスライド孔の位置を、互いに軸線方向に異ならせてあるため、各操作部材に対する操作部の取付位置を、スライド孔に対応しうるように軸線方向にずらすだけで、各操作部の位置を容易に異ならせることができるとともに、スライド孔の位置を確認することによっても、所望とする筆記色の選択を容易に行うことができる。
【００１３】
請求項３記載の発明によれば、軸筒に対する各操作部材の軸線方向の取付位置を、互いに異ならせてあるため、スライド孔の位置を、互いに軸線方向にずらすだけで、各操作部の位置を容易に異ならせることができる。
また、各操作部材における操作部を、操作部材の後端に取り付けてあるため、孔明け加工時等における操作部材の位置決めや、加工作業を円滑に行うことができる。
【００１４】
請求項４記載の発明によれば、各操作部を、互いに異なる形状、寸法、または触感のものとしてあるため、各操作部および筆記色の識別を、より一層容易に行うことができる。
【発明を実施するための最良の形態】
【００１５】
以下、本発明の実施形態を、ボールペン芯体が２本の場合を例にして、図面に基づき説明する。
【００１６】
図１は、本発明の第１実施形態におけるボールペンを一部破断して示す正面図、図２は、図１の要部拡大断面図、図３は、同じく図１に示したボールペンの要部拡大斜視図である。
【００１７】
図１〜図３に示すように、本発明のボールペン１における軸筒２内には、異なる筆記色、例えば黒、赤のインクが、それぞれ貯留された左右２本のボールペン芯体３、３がそれぞれ収容されており、これら各ボールペン芯体３、３の後端には、操作部材４、４が、それぞれ取り付けられている。
【００１８】
各操作部材４は、軸筒２内の軸線方向に対する同一位置に配置されているとともに、同一形状をなす操作部５がそれぞれ取り付けられている。左右の操作部５、５のうちの一方の操作部５は、操作部材４の後端に位置しうるように設けられており、他方の操作部５は、操作部材４の前端側に位置しうるように設けられている。これらの操作部５、５は、軸筒２の周壁６に、互いに軸線方向の異なる位置に開口されたスライド孔７、７から、外部に突出させられている。
【００１９】
各操作部５は、図１に想像線で示すように、軸線方向に操作することによって、操作部材４を下方に向けてスライドさせ、ボールペン芯体３の前端に取り付けたチップ部８（図１に想像線で示す）を、軸筒２の前端に取り付けられた口先部９の前端開口１０から、自在に出没させうるようになっている。
【００２０】
各操作部材４は、軸筒２内の軸線方向に対して同一位置にそれぞれ取り付けられているとともに、ボールペン芯体３に巻回されたコイルばね１１により、後方（図１においては上方）に向けて付勢されている。
【００２１】
各操作部５は、各操作部材４に対する取付位置を、各スライド孔７に対応しうるように軸線方向にずらせることにより、軸筒２の軸線方向の異なる位置に突出している。
【００２２】
図４は、２本のボールペン芯体３、３のうちの一方に取り付けられている操作部材４と操作部５との取付状態を示す拡大分解斜視図である。
この操作部材４には、所望の位置に孔明け加工された上下１対の嵌合孔１２Ａ、１２Ｂが設けられており、この上下の嵌合孔１２Ａ、１２Ｂに、操作部５の裏面に整合させて設けた上下１対の突起１３Ａ、１３Ｂを嵌入し係止させることによって、操作部５が、操作部材４に取り付けられている。
他方のボールペン芯体３に取り付けられている操作部材４においては、操作部５の嵌合孔１２Ａ、１２Ｂを、前記のものとは軸線方向に異ならせてある。
【００２３】
本発明のボールペン１を使用する場合には、所望の筆記色のボールペン芯体３における操作部５を、コイルばね１１の付勢力に抗し、前方（図１においては下方）に向けて押し下げることにより、ボールペン芯体３のチップ部８を、軸筒２の前端における口先部９の前端開口１０から外部に突出させる。
使用後においては、他の色のボールペン芯体３における操作部５を、僅かに押し下げることにより、コイルばね１１による後方向き（図１においては上向き）の付勢力により、ボールペン芯体３を、軸筒２内に自動的に戻すようになっている。
【００２４】
なお、操作部５の操作によって、選択した筆記色に係るボールペン芯体３のチップ８を、口先部９の開口１０から外内部へ出入れする、いわゆるボールペン芯体３の繰り出し機構は、常用されている周知の機構である。
【００２５】
図５は、本発明における第２実施形態のボールペンを示す要部拡大断面図である。
【００２６】
図５に示すように、本実施形態におけるボールペン１４は、軸筒１５内に収容された筆記色を異にする複数のボールペン芯体１６の後端にそれぞれ取り付けられている操作部材１７の取付位置とスライド孔１８の開口位置とを、軸線方向に互いに異ならせるとともに、各操作部１９の取付位置を、操作部材１７の後端における同一位置に取り付けてある。
【００２７】
なお、上記の実施形態においては、筆記色の異なる各操作部を、同一形状のものとしたが、各筆記色に応じて、異なる形状、寸法、あるいは触感の異なる素材からなるものとすれば、識別を、より一層容易に行うことができる。
【図面の簡単な説明】
【００２８】
【図１】本発明の第１実施形態におけるボールペンを一部破断して示す正面図である。
【図２】図１の要部拡大断面図である。
【図３】同じく図１に示したボールペンの要部拡大斜視図である。
【図４】操作部材と操作部との取付状態を示す拡大分解斜視図である。
【図５】本発明における第２実施形態のボールペンを示す要部拡大断面図である。
【符号の説明】
【００２９】
１    ボールペン
２    軸筒
３    ボールペン芯体
４    操作部材
５    操作部
６    周壁
７    スライド孔
８    チップ部
９    口先部
１０  前端開口
１１  コイルばね
１２Ａ  嵌合孔
１２Ｂ  嵌合孔
１３Ａ  突起
１３Ｂ  突起
１４  ボールペン
１５  軸筒
１６  ボールペン芯体
１７  操作部材
１８  スライド孔
１９  操作部
【図１】
2008143090.tif 000003
【図２】
2008143090.tif 000004
【図３】
2008143090.tif 000005
【図４】
2008143090.tif 000006
【図５】
2008143090.tif 000007